(57)【要約】【課題】利用者がスキャン処理が完了したことを容易に判別することができる画像読取装置を提供する。【解決手段】原稿の読み取りが終了したことを示す目印を、前記原稿上に押印するスタンプを備えた自動給紙装置を備える画像読取装置であって、前記原稿を読み取って画像データを出力する読取手段と、前記画像データの画像部分の範囲を検知する検知手段と、前記検知手段が検知した前記画像データの画像部分以外の部分に対応する前記原稿上の位置に前記目印を押印するように、前記スタンプを移動させるスタンプ制御手段と、を備える。【選択図】        図２
2010087953.tif 000002
【特許請求の範囲】
【請求項１】
原稿の読み取りが終了したことを示す目印を、前記原稿上に押印するスタンプを備えた自動給紙装置を備える画像読取装置であって、
前記原稿を読み取って画像データを出力する読取手段と、
前記画像データの画像部分の範囲を検知する検知手段と、
前記検知手段が検知した前記画像データの画像部分以外の部分に対応する前記原稿上の位置に前記目印を押印するように、前記スタンプを移動させるスタンプ制御手段と、
を備えることを特徴とする画像読取装置。
【請求項２】
前記検出手段は、前記画像データの画素値の大きさを比較し、前記画素値が周辺の画素値よりも小さい部分を、前記画像部分が含まれている部分として検知する、
ことを特徴とする請求項１に記載の画像読取装置。
【請求項３】
前記読取手段は、前記原稿の表面および裏面を読み取り、前記原稿の各面の画像データを出力し、
前記検知手段は、前記読取手段が前記原稿の表面および裏面の前記画像部分の範囲を検知し、
前記スタンプ制御手段は、前記読取手段が前記原稿の表面および裏面を読み取った場合には、前記目印を前記画像データの画像部分以外の部分に対応する前記原稿上の異なる位置に前記目印を押印するように、前記スタンプを移動させる
ことを特徴とする請求項１に記載の画像読取装置。
【請求項４】
原稿の表面の読み取りが終了したことを示す第１の目印を前記原稿上に押印する第１のスタンプと、前記原稿の裏面の読み取りが終了したことを示す第２の目印とを前記原稿上に押印する第２のスタンプと、を備えた自動給紙装置を備える画像読取装置であって、
前記原稿の表面と前記原稿の裏面とを読み取って、前記原稿の画像データである第１の画像データと前記原稿の裏面の画像データである第２の画像データとを出力する読取手段と、
前記第１の画像データおよび前記第２の画像データに画像部分の範囲を検知する検知手段と、
前記検知手段が検知した前記第１の画像データの画像部分以外の部分に対応する前記原稿上の位置に前記第１の目印を押印し、前記第２の画像データに画像部分以外の部分に対応する前記原稿上の位置に前記第２の目印を押印するように、前記第１のスタンプおよび前記第２のスタンプを移動させるスタンプ制御手段と、
を備えることを特徴とする画像読取装置。
【請求項５】
前記第１の目印と前記第２の目印とは互いに異なる形状であること、
を特徴とする請求項４に記載の画像読取装置。
【発明の詳細な説明】
【技術分野】
【０００１】
本発明は、原稿をスキャンして画像処理を行う画像読取装置に関するものである。
【背景技術】
【０００２】
プリンタや、コピー機能、ファクシミリ（ＦＡＸ）機能、印刷機能、スキャナ機能等を一つの筐体に納めたいわゆるＭＦＰ（Multi  Function  Peripheral）と称される複合機、スキャナ機能を備えたコピー機等、スキャナ機能を備えた種々の装置が存在する。一般的に、これらの装置では、原稿がスキャンされた場合、利用者に対して既にスキャン済みである旨を知らせるために、スキャンされた原稿上にスタンプ等の目印を付けることが行われている。
【０００３】
例えば、特許文献１に記載された技術では、スキャナによって原稿の読み取りが完了した場合には、搬送ローラに並列して設けられたスタンプ（以下、済みスタンプと呼ぶ。）が、排紙される原稿の所定の位置に、スキャンが完了したことを示す目印を付す技術が開示されている。
【０００４】
【特許文献１】特許第３５６０１９５号公報
【発明の開示】
【発明が解決しようとする課題】
【０００５】
しかし、特許文献１に記載された技術では、済みスタンプの位置が固定されているため、原稿に記載された文字や図柄等の位置によっては、済みスタンプが文字や図柄等に被ってしまうため、利用者はスキャンが完了したか否かを確認することが困難な場合があるという問題があった。
【０００６】
具体的には、図１３に示すように、原稿Ｐの右下部分に文字列がある場合には、済みスタンプを付す位置（ｇ１）の位置に被ってしまい、原稿がスキャンされたのかどうかが利用者にとって判別しづらいという問題があった。
【０００７】
本発明は、上記に鑑みてなされたものであって、利用者が、スキャン処理が完了したことを容易に判別することができる画像読取装置を提供することを目的とする。
【課題を解決するための手段】
【０００８】
上述した課題を解決し、目的を達成するために、本発明は、原稿の読み取りが終了したことを示す目印を、前記原稿上に押印するスタンプを備えた自動給紙装置を備える画像読取装置であって、前記原稿を読み取って画像データを出力する読取手段と、前記画像データの画像部分の範囲を検知する検知手段と、前記検知手段が検知した前記画像データの画像部分以外の部分に対応する前記原稿上の位置に前記目印を押印するように、前記スタンプを移動させるスタンプ制御手段と、を備えることを特徴とする。
【０００９】
また、本発明は、原稿の表面の読み取りが終了したことを示す第１の目印を前記原稿上に押印する第１のスタンプと、前記原稿の裏面の読み取りが終了したことを示す第２の目印とを前記原稿上に押印する第２のスタンプと、を備えた自動給紙装置を備える画像読取装置であって、前記原稿の表面と前記原稿の裏面とを読み取って、前記原稿の画像データである第１の画像データと前記原稿の裏面の画像データである第２の画像データとを出力する読取手段と、前記第１の画像データおよび前記第２の画像データに画像部分の範囲を検知する検知手段と、前記検知手段が検知した前記第１の画像データの画像部分以外の部分に対応する前記原稿上の位置に前記第１の目印を押印し、前記第２の画像データに画像部分以外の部分に対応する前記原稿上の位置に前記第２の目印を押印するように、前記第１のスタンプおよび前記第２のスタンプを移動させるスタンプ制御手段と、を備えることを特徴とする。
【発明の効果】
【００１０】
本発明によれば、利用者はスキャン処理が完了したことを容易に判別することができるという効果を奏する。
【発明を実施するための最良の形態】
【００１１】
以下に添付図面を参照して、この発明にかかる画像読取装置の最良な実施の形態を詳細に説明する。
【００１２】
（第１の実施の形態）
本発明の一実施の形態として、画像読取装置をコピー機能、ファクシミリ（ＦＡＸ）機能、印刷機能、スキャナ機能等を一つの筐体に納めたいわゆるＭＦＰ（Multi  Function  Peripheral）と称される複合機等のスキャナ機能を備えた装置に適用した例を示す。尚、以下の説明では、画像読取装置を上述の複合機に適用した場合について説明しているが、少なくともスキャナ機能を備えるものであれば、複合機以外の装置に対しても適用可能である。
【００１３】
図１は、第１の実施の形態にかかる複合機１０００の物理的な構成を示す図である。図１に示すように、複合機１０００は、ＡＤＦ（Auto  Document  Feeder）１００と、スキャナ２００と、操作パネル３００と、本体ユニット４００と、フィニッシャ５００と、両面ドライブユニット６００と、給紙バンク７００と、を含んで構成されている。
【００１４】
ＡＤＦ１００は、スキャナ２００の上部に設けられ、スキャナ２００に原稿を自動的に搬送する装置である。
【００１５】
図２は、ＡＤＦ１００の物理的な構成を示す図である。図２に示すように、ＡＤＦ１００は、原稿トレイ２４１と、ピックアップローラ２４２と、レジストローラ対２４３と、搬送ドラム２４４と、押さえローラ２４５と、排紙ローラ２４６および２４７と、排紙トレイ２４８と、済みスタンプユニット２５３と、を含んで構成されている。なお、図２には、ＡＤＦ１００とスキャナ２００とが示されているが、スキャナ２００については後述する。
【００１６】
原稿トレイ２４１に載置された原稿は、ピックアップローラ２４２とレジストローラ対２４３とによって、搬送ドラム２４４と押さえローラ２４５との間に給紙される。その後、原稿は、搬送ドラム２４４に密着しつつ、スキャナ２００の読み取りガラス２４０上を通過する。そして、読み取りガラス２４０上を通過した原稿は、排紙ローラ２４６および２４７によって、原稿トレイ２４１の下方に位置する圧板兼用の排紙トレイ２４８上に排出される。
【００１７】
済みスタンプユニット２５３は、原稿がスキャナ２００の読み取りガラス２４０上を通過した後、本体ユニット４００からスキャナ２００に対して原稿の読み取り指示がされ、原稿の読み取りが完了したことを示す目印（以下、スタンプ印と呼ぶ。）を原稿上に付す装置である。
【００１８】
図３は、済みスタンプユニット２５３の物理的な構成を示す図である。図３に示すように、済みスタンプユニット２５３は、搬送モータ２５３１と、搬送ベルト２５３２と、スイッチ２５３３と、済みスタンプ２５３４と、ローラ２５３５と、を含んで構成されている。
【００１９】
搬送モータ２５３１は、本体ユニット４００からの指示を受けて、搬送ベルト２５３２を駆動させ、搬送ベルト上に取り付けられた済みスタンプ２５３４を主走査方向（ｘ軸方向）に移動させ、またはローラ２５３５によって済みスタンプ２５３４を副走査方向（ｙ軸方向）に移動させる。
【００２０】
また、搬送モータ２５３１は、本体ユニット４００からの指示を受けると、搬送ベルト２５３２を移動させて済みスタンプ２５３４をスイッチ２５３３に当接させて、スイッチ２５３３をＯＮ状態にする。後述するように、このスイッチ２５３３の位置は、本体ユニット４００が、原稿上の文字列や図柄等の部分（以下、画像部分と呼ぶ。）を検知しない場合に、スタンプ印を付すためのデフォルト位置となっており、搬送モータ２５３１は、本体ユニット４００から、画像部分以外の部分がない旨の信号を受けると、搬送ベルト２５３２を駆動させ、済みスタンプ２５３４をＯＮ状態にしたスイッチ２５３３の位置まで移動させる。続いて、図２に戻り、スキャナ２００について説明する。
【００２１】
図２に示すように、スキャナ２００は、コンタクトガラス２３１と、複数の照明ランプ２３２と、第１ミラー２３３と、第２ミラー２３４と、第３ミラー２３５と、レンズ２３６と、走行体モータ２３８と、白基準板２３９と、読み取りガラス２４０と、基点センサ２４９と、スケール２５１と、コンタクトイメージセンサユニット２５２と、ＣＣＤ（Charge  Coupled  Device）２０７と、を含んで構成されている。
【００２２】
ＡＤＦ１００によって搬送された原稿は、読み取りガラス２４０を通過する際に、その直下に位置決めされて静止している照明ランプ２３２により照射される。そして、原稿の反射光が、第１ミラー２３３、第２ミラー２３４、第３ミラー２３５によって反射され、ＣＣＤ２０７に照射される。照射された反射光は、ＣＣＤ２０７によって電気信号に光電変換される。このようなスキャン処理の方法をシートフィード方式と呼ぶ。
【００２３】
ＣＣＤ２０７は、多数の光電変換素子が主走査方向に並んだ光電変換素子アレイ（撮像素子）を含んでいる。光電変換素子アレイは、原稿の反射光を読み取り、読み取った反射光を、所定のライン毎に電気信号（以下、画像読み取り信号と呼ぶ。）に変換したデータ（以下、ライン画像データと呼ぶ。）を、順次出力することによって、画像データを出力する。なお、ＣＣＤ２０７による反射光の読み取りおよび画像データの出力は、後述するように、本体ユニット４００からの指示に応じて行われる。
【００２４】
また、シートフィード方式以外のスキャン処理の方式として、ブックリード方式がある。ブックリード方式では、ＡＤＦ１００によって搬送された原稿は、コンタクトガラス２３１上の所定の位置に載置される。そして載置された原稿は、照明ランプ２３２により照明され、まず、原稿の反射光が第１ミラー２３３によって副走査方向（ｙ軸方向）と平行に反射される。なお、照明ランプ２３２および第１ミラー２３３は、副走査方向に定速で駆動する第１キャリッジ（不図示）に搭載されている。
【００２５】
第２ミラー２３４および第３ミラー２３５は、第１キャリッジと同じ副走査方向に、第１キャリッジの速度の１／２の速度で駆動する第２キャリッジ（不図示）に搭載されている。第１ミラー２３３によって反射された反射光は、第２ミラー２３４によって副走査方向と垂直下方の方向（ｚ方向）に反射され、さらに、第３ミラー２３５によって副走査方向に反射される。
【００２６】
なお、不図示の第１キャリッジおよび第２キャリッジは、走行体モータ２３８を駆動源として、副走査方向に往復するように駆動される。
【００２７】
第３ミラー２３５によって反射された反射光は、その後レンズ２３６により集束されてＣＣＤ２０７に照射され、シートフィード方式と同様に、ＣＣＤ２０７によって、反射光が画像読み取り信号に変換され、画像データとして出力される。
【００２８】
なお、本実施の形態における複合機１０００は、上述したシートフィード方式およびブックリード方式のいずれの方式によってスキャン処理を行うことが可能となっているが、以下では、シートフィード方式で原稿がスキャンされるものとして説明する。
【００２９】
また、図２に示すように、読み取りガラス２４０とスケール２５１との間には、白基準板２３９と第１キャリッジを検出する基点センサ２４９が設けられている。スケール２５１は、搬送された原稿の読み取り開始位置を示すものである。
【００３０】
白基準板２３９は、照明ランプ２３２から照射される光の強度のばらつき、あるいはＣＣＤ２０７を構成する光電変換素子アレイの各撮像素子の感度ムラ等によって、濃度が一定の原稿を読み取ったにもかかわらず、その後、読み取った原稿の画像データに濃淡等生じてしまう現象を補正（以下、シェーディング補正と呼ぶ。）するために、照明ランプ２３２から照射される光を反射するものである。この白基準板２３９によって反射された光の照度が基準となって、画像データに対してシェーディング補正が施される。
【００３１】
また、スキャナ２００には、コンタクトイメージセンサユニット２５２が備えられ、搬送された原稿の裏面を読み取ることが可能となっている。続いて、図1に戻り、操作パネル３００について説明する。
【００３２】
操作パネル３００は、ＬＣＤ（Liquid  Crystal  Display）等のディスプレイから構成され、利用者からスキャン処理やコピー処理等に関する各種の設定情報（例えば、用紙サイズ、枚数、カラー有無等）の指定を受け付けるほか、スキャン処理やコピー処理等の実行指示を受け付ける。
【００３３】
本体ユニット４００は、物理的には、スキャナ処理、コピー処理等の各種の処理を、操作パネル３００から指定された設定に従って実行させるコントローラ４１０と、コントローラ４１０からの指示を受けて、各色の感光体ドラムや転写ベルト等を駆動させて画像形成処理を実行するエンジン部４２０と、を含んで構成されている。
【００３４】
図４は、本体ユニット４００の機能的な構成を示す図である。図４に示すように、本体ユニット４００は、上述したように、コントローラ４１０と、エンジン部４２０とを主に備えている。
【００３５】
さらに、コントローラ４１０は、制御部４１１と、コピー処理部４１２と、スキャナ処理部４１３と、ＦＡＸ処理部４１４と、プリンタ処理部４１５と、を含んで構成されている。なお、以下の説明では、上述したコピー処理部４１２、スキャナ処理部４１３、ＦＡＸ処理部４１４、プリンタ処理部４１５のうち、スキャナ処理部４１３を例に説明する。
【００３６】
制御部４１１は、操作パネル３００が、スキャン処理を行うための各種の設定情報や実行指示を受け付けると、スキャナ処理部４１３に対して、設定情報と実行指示が受け付けられた旨を通知する。なお、コピー処理やＦＡＸ処理の設定情報や実行指示が受け付けられた場合には、スキャナ処理と同様に、コピー処理部４１２やＦＡＸ処理部４１４に、設定情報と実行指示を通知する。続いてスキャナ処理部４１３について説明する。
【００３７】
図５は、スキャナ処理部４１３の機能的な構成を示す図である。図５に示すように、スキャナ処理部４１３は、画像検知部４１３１と、カウンタ４１３２と、記憶部４１３３と、スキャン制御部４１４４と、を含んで構成されている。
【００３８】
画像検知部４１３１は、後述するように、スキャン制御部４１４４が、ＣＣＤ２０７に対して読み取り指示および画像データの出力指示を行い、ライン画像データが出力された場合に、出力されたライン画像データの中の画像部分を検知する。
【００３９】
そして、ライン画像データの画像部分を検知した場合には、ライン画像データに含まれる画像部分の範囲（位置）を特定し、そのライン画像データを出力したときのカウンタ４１３２の値と、特定した画像部分の範囲を対応付けて記憶部４１３３に記憶させる。
【００４０】
画像検知部４１３１が、画像データの画像部分を検知する手法としては、例えば、特開２００４−１１２１９７に開示されているように、画像データを画素単位に分割し、ある画素の画素値と、その画素に隣接する画素の画素値の差分をとることによって画像部分を特定したり、あるいは、特開平０７−０７３３２６に開示されているように、あらかじめ画像部分となりうる画像を記憶しておき、画像データにその画像が含まれているか否かを検知することによって画像部分を特定することも可能である。すなわち、画像データの中から画像部分が特定できる手法であれば、いずれの手法によって特定することとしてもよい。
【００４１】
一方、画像検知部４１３１は、ライン画像データに画像部分を検知しない場合には、そのライン画像データを出力したときのカウンタ４１３２の値のみを記憶部４１３３に記憶させる。
【００４２】
カウンタ４１３２は、ＣＣＤ２０７が出力したライン画像データの数をカウントする。上述したように、ＣＣＤ２０７は、ライン画像データを順次出力することによって画像データを出力するので、画像検知部４１３１は、出力されたライン画像データの数をカウントすることによって、画像データのなかでどのラインのライン画像データの中の画像部分の範囲を特定できる。
【００４３】
記憶部４１３３は、メモリやＨＤＤ等の記憶媒体から構成され、画像検知部４１３１が、ライン画像データの中の画像部分を検知した場合、その画像部分の範囲とカウンタ４１３２がカウントした値、またはライン画像データの中の画像部分を検知した場合に、カウンタ４１３２がカウントした値を対応付けて記憶する。
【００４４】
また、記憶部４１３３は、画像検知部４１３１が、ライン画像の中に画像部分を件h氏しない場合に、スキャン制御部４１４４が済みスタンプユニット２５３の済みスタンプ２５３４を移動させるためのデフォルト位置を記憶する。
【００４５】
スキャン制御部４１４４は、制御部４１１から、操作パネル３００が設定情報と実行指示を受け付けた旨の通知を受けると、ＣＣＤ２０７に対して、読み取りを開始し、ライン画像データを出力するように指示する。また、スキャン制御部４１４４は、原稿の読み取りが終了したか否かを判定する。
【００４６】
また、スキャン制御部４１４４は、画像検知部４１３１が、ライン画像データの中に画像部分を検知しない場合におけるカウンタの値が記憶部４１３３に記憶された場合、またはライン画像データの中に画像部分を検知した場合における、その画像部分の範囲とカウンタの値とが記憶された場合に、カウンタ４１３２の値を１つずつカウントアップさせる。
【００４７】
また、スキャン制御部４１４４は、原稿の読み取りが終了した場合には、記憶部４１３３に、画像部分の範囲が記憶されているか否かを判定し、画像部分の範囲が記憶されていると判定した場合は、その画像部分以外の位置に、済みスタンプ２５３４を移動させる。
【００４８】
一方、スキャン制御部４１４４は、記憶部４１３３に画像部分の範囲が記憶されていないと判定した場合は、あらかじめ記憶部４１３３に記憶されたデフォルト位置に、済みスタンプ２５３４を移動させる。
【００４９】
さらにスキャン制御部４１４４は、移動させた済みスタンプ２５３４に対して、スタンプ印を押印するように指示する。続いて、図１に戻り、フィニッシャ５００について説明する。
【００５０】
フィニッシャ５００は、操作パネル３００がコピー処理の実行指示を受付、コピー処理部４１２が、原稿をコピーした場合の複写紙を載置するトレイ等である。
【００５１】
両面ドライブユニット６００は、コピー処理部４１２が、両面コピー処理を実行する際に、転写紙の向き（表・裏）を入替えるためのユニットである。
【００５２】
給紙バンク７００は、コピー処理やプリンタ処理を行うための転写紙を格納する給紙ボックスである。
【００５３】
次に、上述した複合機１０００で行われるスキャン処理の処理手順について説明する。
【００５４】
図６は、利用者が操作パネル３００を操作して、スキャナ処理の実行を指示し、スキャン処理が開始されてから、完了するまで（済みスタンプが原稿に押印されるまで）の処理手順を示すフローチャートである。以下の説明では、原稿がＡＤＦ１００にセットされた状態で、制御部４１１から、操作パネル３００が実行指示を受け付けた旨の通知を受けたものとする。
【００５５】
まず、スキャン制御部４１４４は、制御部４１１から、操作パネル３００が設定情報と実行指示を受け付けた旨の通知を受けると、カウンタ４１３２をリセットする（ステップＳ６０１）。
【００５６】
そして、スキャン制御部４１４４は、反射光を読み取ってライン画像データを出力するようにＣＣＤ２０７に指示する（ステップＳ６０２）。
【００５７】
その後、画像検知部４１３１は、出力されたライン画像データに画像部分を検知する（ステップＳ６０３）。
【００５８】
そして、画像検知部４１３１は、ライン画像データの中に画像部分を検知した場合（ステップＳ６０３；Ｙｅｓ）、ライン画像データに含まれる画像部分の範囲を特定し（ステップＳ６０４）、そのライン画像データを出力したときのカウンタの値と、特定した画像部分の範囲を対応付けて記憶部４１３３に記憶させる（ステップＳ６０５）。
【００５９】
一方、画像検知部４１３１は、ライン画像データの中に画像部分を検知しない場合（ステップＳ６０３；Ｎｏ）、そのライン画像データを出力したときのカウンタ４１３２の値のみを記憶部４１３３に記憶させる（ステップＳ６０６）。
【００６０】
そして、スキャン制御部４１４４は、ステップＳ６０５またはＳ６０６のいずれかの処理が終了すると、カウンタ４１３２の値を１つずつカウントアップさせる(ステップＳ６０７)。
【００６１】
その後、スキャン制御部４１４４は、原稿の読み取りが終了したか否かを判定する（ステップＳ６０８）。
【００６２】
そして、原稿の読み取りが終了していないと判定した場合（ステップＳ６０８；Ｎｏ）、ステップＳ６０２に戻り、ステップＳ６０２〜Ｓ６０７までの各処理を繰り返す。
【００６３】
一方、スキャン制御部４１４４は、原稿の読み取りが終了したと判定した場合（ステップＳ６０８；Ｙｅｓ）、記憶部４１３３に、画像部分の範囲が記憶されているか否かを判定する（ステップＳ６０９）。
【００６４】
そして、記憶部４１３３に画像部分の範囲が記憶されていると判定した場合（ステップＳ６０９；Ｙｅｓ）、その画像部分以外の位置に、済みスタンプ２５３４を移動させる（ステップＳ６１０）。
【００６５】
一方、記憶部４１３３に画像部分の範囲が記憶されていないと判定した場合（ステップＳ６０９；Ｎｏ）、あらかじめ記憶部４１３３に記憶されたデフォルト位置に、済みスタンプ２５３４を移動させる（ステップＳ６１１）。
【００６６】
その後、スキャン制御部４１４４は、移動させた済みスタンプ２５３４に対して、スタンプ印を押印するように指示する（ステップＳ６１２）。このステップＳ６１２の処理が終了すると、本実施の形態における全ての処理が終了する。
【００６７】
このように、画像検知部４１３１が、画像データの中の画像部分を検知し、スキャン制御部４１４４が、ライン画像データの中の画像部分ではない部分に済みスタンプを移動させ、スタンプ印を押印するので、例えば、図７に示すように、原稿Ｐ’をスキャンした場合におけるスタンプ印を、画像部分以外の部分Ｓ１やＳ２に押印することができるので、利用者はスキャン処理が完了したことを容易に判別することができる。
【００６８】
（第２の実施の形態）
上述した第１の実施の形態においては、搬送された原稿の片側の面の中で画像部分以外の部分にスタンプ印を押印することとした。しかし、原稿が両面印刷の場合には、各面（表面・裏面）のそれぞれにスタンプ印を押印することによって各面のスキャン処理が完了したことを利用者に知らせた方が便利な場合もある。そこで、そのような場合であっても、原稿の表面および裏面の各面の中の画像部分を検知し、画像部分以外の部分にスタンプ印を押印する場合について説明する。
【００６９】
図８は、第２の実施の形態にかかる複合機２０００のＡＤＦ８００の物理的な構成を示す図である。図８に示すように、ＡＤＦ８００は、裏面済みスタンプユニット２５４をさらに備えている点で、第１の実施の形態におけるＡＤＦ１００と異なっている。以下の説明では、上述した第１の実施の形態と同一の構成要素には同一の符号を付してその説明を省略している。
【００７０】
図９に示すように、裏面済みスタンプユニット２５４は、第１の実施の形態における済みスタンプユニット２５３（図３）と同様に構成され、後述するように、本体ユニット４０００からスキャナ２００に対して原稿の裏面の読み取り指示がされ、その読み取りが完了した場合に、原稿の裏面の読み取りが完了したことを示すスタンプ印を原稿の裏面上に押印する。裏面済みスタンプユニット２５４の搬送モータ２５４１等の各構成の具体的な内容については、第1の実施の形態における済みスタンプユニット２５３と同様であるため、ここではその説明を省略する。
【００７１】
図１０は、第２の実施の形態における、本体ユニット４０００の機能的な構成を示す図である。図１０に示すように、本体ユニット４０００は、第１の実施の形態におけるコントローラ４１０とは異なるコントローラ４１００を備えており、コントローラ４１００は、第１の実施の形態におけるスキャナ処理部４１３とは異なるスキャナ処理部４１３０を備えている点で、第１の実施の形態における本体ユニット４００と異なっている。
【００７２】
図１１は、図１０に示したスキャナ処理部４１３０の機能的な構成を示す図である。図１１に示すように、スキャナ処理部４１３０は、第１の実施の形態における画像検知部４１３１とは異なる画像検知部４１８１と、記憶部４１８３と、スキャン制御部４１８４とを備え、カウンタ４１３２に代えて、第１カウンタ４１８２と、第２カウンタ４１８５とを備えている点で、第１の実施の形態におけるスキャナ処理部４１３とは異なっている。なお、第１カウンタ４１８３は、第１の実施の形態におけるカウンタ４１３２と同様に原稿の表面のライン画像データの数をカウントしている。以下の説明においては、原稿の表面に対する処理の内容については第１の実施の形態と同様であるため、その説明を省略している。
【００７３】
画像検知部４１８１は、第１の実施の形態と同様の処理を行うほか、スキャン制御部４１８４が、ＣＣＤ２０７に対して、原稿の裏面の読み取り指示および画像データの出力指示を行う。また、画像検知部４１８１は、出力された裏面のライン画像データの中の画像部分を検知する。
【００７４】
そして、裏面のライン画像データの中に画像部分を検知した場合には、その画像部分の範囲を特定し、第２カウンタの値と、特定した裏面の画像部分の範囲を対応付けて記憶部４１８３に記憶させる。
【００７５】
一方、画像検知部４１８１は、裏面のライン画像データの中に画像部分を検知しない場合には、第２カウンタ４１８５の値のみを記憶部４１８３に記憶させる。
【００７６】
第２カウンタ４１８５は、スキャン制御部４１８４が、ＣＣＤ２０７に対して、原稿の裏面のライン画像データの数をカウントする。
【００７７】
記憶部４１８３は、第１の実施の形態と同様の内容を記憶するほか、画像検知部４１８１が、裏面のライン画像データの中の画像部分を検知した場合の画像部分の範囲と第２カウンタ４１８５がカウントした値を対応付けて記憶し、または裏面のライン画像データの中の画像部分を検知しない場合の第２カウンタ４１８５がカウントした値を記憶する。
【００７８】
また、記憶部４１８３は、画像検知部４１８１が、裏面のライン画像データの中に画像部分を検知しない場合において、スキャン制御部４１８４が、裏面済みスタンプユニット２５４の裏面済みスタンプ２５４４を移動させるためのデフォルト位置を記憶する。
【００７９】
スキャン制御部４１８４は、第１の実施の形態と同様の処理を行うほか、制御部４１１から、操作パネル３００が設定情報と実行指示を受け付けた旨の通知を受けると、第２カウンタ４１８５をリセットする。また、スキャン制御部４１８４は、原稿の裏面を読み取って、裏面のライン画像データを出力するようにＣＣＤ２０７に指示する。
【００８０】
また、スキャン制御部４１８４は、画像検知部４１８１が、裏面のライン画像データの中の画像部分を検知しない場合における第２カウンタ４１８５の値が記憶部４１８３に記憶された場合、または裏面のライン画像データの中に画像部分を検知した場合における画像部分の範囲と第２カウンタ４１８５の値が記憶された場合に、第２カウンタ４１８５の値を１つずつカウントアップさせる。
【００８１】
さらに、スキャン制御部４１８４は、原稿の裏面の読み取りが完了したか否かを判定する。
【００８２】
そして、原稿の裏面の読み取りが完了していないと判定した場合には、ＣＣＤ２０７に対して、原稿の裏面の反射光の読み取りおよびライン画像データの出力を続行するように指示する。
【００８３】
一方、スキャン制御部４１８４は、原稿の裏面の読み取りが完了した場合には、記憶部４１８３に、裏面の画像部分の範囲が記憶されているか否かを判定する。
【００８４】
そして、記憶部４１８３に裏面の画像部分の範囲が記憶されていると判定した場合は、その画像部分以外の位置に、裏面用済みスタンプ２５４４を移動させ、記憶部４１８３に画像部分の範囲が記憶されていないと判定した場合は、あらかじめ記憶部４１８３に記憶されたデフォルト位置に、裏面済みスタンプ２５４４を移動させる。
【００８５】
さらにスキャン制御部４１８４は、移動させた裏面済みスタンプ２５４４に対して、原稿の裏面にスタンプ印を押印するように指示する。
【００８６】
次に、上述した複合機２０００で行われるスキャン処理の処理手順について説明する。
【００８７】
図１２は、利用者が操作パネル３００を操作して、原稿の両面をスキャンする場合におけるスキャナ処理の実行を指示し、スキャン処理が開始されてから、完了するまで（済みスタンプが原稿に押印されるまで）の処理手順を示すフローチャートである。以下の説明では、第１の実施の形態の場合と同様に、原稿がＡＤＦ８００にセットされた状態で、制御部４１１から、操作パネル３００が実行指示を受け付けた旨の通知を受けたものとする。
【００８８】
また、第２の実施の形態にかかる複合機２０００で行われる各処理は、第１の実施の形態における各処理と比べて、原稿の表面と裏面の両方をスキャンしてスタンプ印を押印する部分のみが異なっている。そこで、図１２を用いてこれらの処理について説明するが、これら以外の処理については、第１の実施の形態にかかる処理と同じ処理内容であるため、第１の実施の形態にかかる処理と同一の処理、すなわち原稿の表面に関する各処理（ステップＳ１１０３〜Ｓ１１０７、Ｓ１１１４〜Ｓ１１１７）については、同一の符号を付してその説明を省略している。
【００８９】
まず、スキャン制御部４１８４は、制御部４１１から、操作パネル３００が設定情報と実行指示を受け付けた旨の通知を受けると、第１カウンタ４１３２と第２カウンタ４１８５をリセットする（ステップＳ１１０１）。
【００９０】
そして、スキャン制御部４１８４は、原稿の表面及び裏面を読み取ってライン画像データを出力するようにＣＣＤ２０７に指示する（ステップＳ１１０２）。
【００９１】
その後、原稿の表面に対する各処理(ステップＳ１１０３〜Ｓ１１０７)を行い、画像検知部４１８１は、裏面のライン画像データの中の画像部分を検知する（ステップＳ１１０８）。
【００９２】
そして、画像検知部４１８１は、裏面のライン画像データの中の画像部分を検知した場合（ステップＳ１１０８；Ｙｅｓ）、裏面のライン画像データに含まれる画像部分の範囲を特定し（ステップＳ１１０９）、裏面のライン画像データを出力したときの第２カウンタ４１８５の値と、特定した画像部分の範囲を対応付けて記憶部４１８３に記憶させる（ステップＳ１１１０）。
【００９３】
一方、画像検知部４１８１は、裏面のライン画像データの中の画像部分を検知しない場合（ステップＳ１１０８；Ｎｏ）、裏面のライン画像データを出力したときの第２カウンタ４１８５の値のみを記憶部４１８３に記憶させる（ステップＳ１１１１）。
【００９４】
そして、スキャン制御部４１８４は、ステップＳ１１１０またはＳ１１１１のいずれかの処理が終了すると、第２カウンタ４１８５の値を１つずつカウントアップさせる(ステップＳ１１１２)。
【００９５】
その後、スキャン制御部４１８４は、原稿の表面と裏面の読み取りが終了したか否かを判定する（ステップＳ１１１３）。
【００９６】
その後、原稿の表面と裏面の読み取りが終了していないと判定した場合（ステップＳ１１１３；Ｎｏ）、ステップＳ１１０２に戻り、ステップＳ１１０２〜Ｓ１１１２までの各処理を繰り返す。
【００９７】
一方、スキャン制御部４１４４は、原稿の表面と裏面の読み取りが終了したと判定した場合（ステップＳ１１１３；Ｙｅｓ）、原稿の表面に対する各処理（ステップＳ１１１４〜Ｓ１１１７）を行った後、記憶部４１８３に、裏面の画像部分の範囲が記憶されているか否かを判定する（ステップＳ１１１８）。
【００９８】
そして、記憶部４１８３に裏面の画像部分の範囲が記憶されていると判定した場合（ステップＳ１１１８；Ｙｅｓ）、その画像部分以外の位置に、裏面済みスタンプ２５４４を移動させる（ステップＳ１１１９）。
【００９９】
一方、記憶部４１８３に裏面の画像部分の範囲が記憶されていないと判定した場合（ステップＳ１１１８；Ｎｏ）、あらかじめ記憶部４１８３に記憶されたデフォルト位置に、裏面済みスタンプ２５４４を移動させる（ステップＳ１１２０）。
【０１００】
その後、スキャン制御部４１８４は、移動させた裏面済みスタンプ２５４４に対して、スタンプ印を押印するように指示する（ステップＳ１１２１）。このステップＳ１１２１の処理が終了すると、本実施の形態における全ての処理が終了する。
【０１０１】
このように、画像検知部４１８１が、原稿の両面の画像データの中の画像部分を検知し、スキャン制御部４１８４が、画像部分ではない部分に裏面済みスタンプ２５４４を移動させ、スタンプ印を押印するので、両面原稿をスキャンした場合であっても、利用者はスキャン処理が完了したことを容易に判別することができる。
【０１０２】
なお、上述した第２の実施の形態においては、原稿の表面および裏面のそれぞれにスタンプ印を押印するように、済みスタンプユニット２５３と裏面済みスタンプユニット２５４を備えることとした。しかし、原稿の各面に対応する済みスタンプユニットを備えず、単に済みスタンプユニット２５３のみを備え、両面原稿であっても、表面のライン画像データの画像部分以外の部分に対応する原稿上の位置に２回スタンプ印を押印することによって、原稿の表面と裏面の読み取りが完了したことを利用者に知らせることも可能である。この場合、裏面済みスタンプユニット２５４を備える必要がないため、スタンプ印の押印処理を、より低コストで実現することができる。
【０１０３】
さらに、済みスタンプユニット２５３および裏面済みスタンプユニット２５４のそれぞれの済みスタンプの形状を変える（例えば、表面を丸印、裏面を三角印）ことによって、利用者に対して、さらに容易に読み取りが完了したことを知らせるようにすることも可能である。
【産業上の利用可能性】
【０１０４】
以上のように、本発明にかかる画像読取装置は、原稿をスキャンして画像処理を行う際に有用であり、特に、原稿に画像部分と画像部分以外の部分が含まれている画像データに対してスキャンする技術に適している。
【図面の簡単な説明】
【０１０５】
【図１】第１の実施の形態にかかる複合機の物理的な構成を示す図である。
【図２】図１に示すＡＤＦの物理的な構成を示す図である。
【図３】図２に示す済みスタンプの物理的な構成を示す図である。
【図４】図１に示す本体ユニットの機能的な構成を示す図である。
【図５】図４に示すスキャナ処理部の機能的な構成を示す図である。
【図６】第１の実施の形態にかかる複合機において行われるスキャン処理の処理手順を示すフローチャートである。
【図７】図６に示す処理手順に従ってスタンプ印が原稿に押印される様子を示す図である。
【図８】第２の形態におけるＡＤＦの物理的な構成を示す図である。
【図９】図８に示す裏面済みスタンプユニットの物理的な構成を示す図である。
【図１０】第２の実施の形態における本体ユニットの機能的な構成を示す図である。
【図１１】図１０に示すスキャナ処理部の機能的な構成を示す図である。
【図１２】第２の実施の形態にかかる複合機において行われるスキャン処理の処理手順を示すフローチャートである。
【図１３】従来技術によってスタンプ印が原稿に押印される様子を示す図である。
【符号の説明】
【０１０６】
１０００  ２０００  複合機
１００  ８００  ＡＤＦ
２００  スキャナ
２３１  コンタクトガラス
２３２  照明ランプ
２３３  第１ミラー
２３４  第２ミラー
２３５  第３ミラー
２３６  レンズ
２３８  走行体モータ
２３９  白基準板
２４０  読み取りガラス
２４１  原稿トレイ
２４２  ピックアップローラ
２４３  レジストローラ対
２４４  搬送ドラム
２４５  押さえローラ
２４６  排紙ローラ
２４８  排紙トレイ
２４９  基点センサ
２５１  スケール
２５２  コンタクトイメージセンサユニット
２５３  ２５４  済みスタンプユニット
３００  操作パネル
４００  ４０００  本体ユニット
４１０  ４１００  コントローラ
４１１  制御部
４１２  コピー処理部
４１３  ４１３０  スキャナ処理部
４１４  ＦＡＸ処理部
４１５  プリンタ処理部
４２０  エンジン部
５００  フィニッシャ
６００  両面ドライブユニット
７００  給紙バンク
２５３１  搬送モータ
２５３２  搬送ベルト
２５３３  スイッチ
２５３４  済みスタンプ
２５３５  ローラ
２５４１  搬送モータ（裏面用）
２５４２  搬送ベルト（裏面用）
２５４３  スイッチ（裏面用）
２５４４  裏面済みスタンプ
４１３１  ４１８１  画像検知部
４１３２  カウンタ
４１３３  ４１８３  記憶部
４１４４  ４１８４  スキャン制御部
４１８２  第１カウンタ
４１８５  第２カウンタ
【図１】
2010087953.tif 000003
【図２】
2010087953.tif 000004
【図３】
2010087953.tif 000005
【図４】
2010087953.tif 000006
【図５】
2010087953.tif 000007
【図６】
2010087953.tif 000008
【図７】
2010087953.tif 000009
【図８】
2010087953.tif 000010
【図９】
2010087953.tif 000011
【図１０】
2010087953.tif 000012
【図１１】
2010087953.tif 000013
【図１２】
2010087953.tif 000014
【図１３】
2010087953.tif 000015